(57)【要約】【課題】      指を屈曲した時甲部側の指出し開口部と指の間に隙間が出来ないようにした手袋を提供すること。【解決手段】  手袋基部１ａとこの前端に人差し指から小指を一度に出せる指出し用の開口部１ｂと側部に親指挿通部１ｃと親指出し用の開口部１ｄとを設け、手袋基部１ａの後端側に手を挿入する手差し込み用の開口部１ｅを有し、手袋基部１ａの指出し用の開口部１ｂは、甲部ａ側が掌部ｂ側より前方に突出形成されている。  手袋基部１ａの甲部ａ側の前端には指出し用の開口部１ｂに挿通される指の間に該当する位置に３つの切込みが形成され、この切込みを開口部１ｂ内側側に突出するように重ねて摘み縫いで甲部ａの内側に向けて突部３ｂと縫い部３ｃを設けることで甲部前端側部材３の手袋基部１ａ前端に設けた指出し用の開口部１ｂの甲部ａ側は開口部１ｂの掌部ｂ側に向けて屈曲するように形成されている。【選択図】        図６
2005042251.tif 000002
【特許請求の範囲】
【請求項１】
前端に複数の指を一度に出せる指出し用の開口部を有し、前記開口部の甲部側を前記開口部の掌部側に向けて屈出させたことを特徴とする手袋。
【請求項２】
前記開口部内側の甲部側の指の間に突部を形成したことを特徴とする請求項１記載の手袋。
【請求項３】
前記開口部の掌部側より甲部側の方が前方突出していることを特徴とする請求項１または２記載の手袋。
【発明の詳細な説明】
【技術分野】
【０００１】
本発明は、指出し用の開口部を改良した手袋に関する。
【背景技術】
【０００２】
従来の手袋は、特許文献１のように指先の作業がしやすいように手袋の指挿入部の先端に孔を有し、ここから指先が出るようになっているものが提案されている。
しかし、このような手袋は、指先が手袋の外側に出ているものの指の付け根および指と指間の又の部分が指挿入部に挿入され覆われているため、指先で作業をする場合に指の動きを規制し違和感があった。
さらに特許文献２には、手袋の先端に人差し指から小指まで一度に突出させることができる開口部を有する手袋が紹介されている。
この手袋は、人差し指から小指まで、１つの孔から突出させ、指と指間の又の部分を仕切るものがないため指が動かしやすい。
しかし、この手袋を着けて指を握ると指の開口の甲側に隙間ができるため、ここから冷気が入りやすいという欠点を有している。
【０００３】
【特許文献１】特開平１１−２９９９５７号
【特許文献２】登録意匠第７５１９０７号
【発明の開示】
【発明が解決しようとする課題】
【０００４】
解決しようとする問題点は、手袋の先端に複数の指を一度に突出させることができる開口部を有する手袋は、この手袋を着けて指を握ると指の開口の甲側に隙間ができるため、ここから冷気が入りやすいことである。
【０００５】
本発明の目的は前記欠点に鑑み、指を屈曲した時甲部側の指出し開口部と指の間に隙間が出来ないようにした手袋を提供することである。
【課題を解決するための手段】
【０００６】
本発明の請求項１は、前端に複数の指を一度に出せる指出し用の開口部を有し、前記開口部の甲部側を前記開口部の掌部側に向けて屈出させたことを要旨とするものである。
本発明の請求項２は、前記開口部内側の甲部側の指の間に突部を形成したことを要旨とするものである。
本発明の請求項３は、前記開口部の掌部側より甲部側の方が前方突出していることを要旨とするものである。
【発明の効果】
【０００７】
請求項１の本発明により、手袋の前端の開口から突出させた指が動かしやすく、手を握ったときでも指出し用の開口部の甲部側は折り曲げられた指に沿って指の付け根を覆うため指出し用の開口部の甲部側の隙間を小さくすることができ手の保温性が向上する。
請求項２の本発明により、指出し用の開口部から突出させた指間の隙間を小さくすることができて手の保温性が向上する。
請求項３の本発明により、手を握ったときに手の甲が大きく露出することが防止され手の保温性が向上する。
【発明を実施するための最良の形態】
【０００８】
手の甲部および掌部を覆う手袋基部１ａとこの手袋基部１ａの前端に複数の指（人差し指から小指）を一度に出せる指出し用の開口部１ｂと側部に親指挿通部１ｃと親指出し用の開口部１ｄとを設け、手袋基部１ａの後端側に手を挿入する手差し込み用の開口部１ｅを有し、手袋基部１ａの手首位置の内側にゴムバンド２が縫着されて絞り込まれている。
手袋基部１ａの指出し用の開口部１ｂは、甲部ａ側が掌部ｂ側より前方に突出形成されている。
親指挿通部１ｃは手袋基部１ａの側部に突出形成されている。
手袋基部１ａの甲部ａ側の前端には指出し用の開口部１ｂに挿通される指の間に該当する位置に３つの切込み３ａが形成され、この切込み３ａを開口部１ｂ内側側に突出するように重ねて摘み縫いで甲部ａの内側（開口部１ｂの内側）に向けて突出する突部３ｂと縫い部３ｃを設けることで甲部前端側部材３の手袋基部１ａ前端に設けた指出し用の開口部１ｂの甲部ａ側は開口部１ｂの掌部ｂ側に向けて屈曲するように形成されている。
【実施例１】
【０００９】
以下、図示の実施例によって本発明を説明すると、図１は手に装着された手袋の甲部側の平面図、図２は手に装着された手袋の掌部側の平面図、図３は手に装着された手袋の側面図、図４は手袋の裁断素材の分解平面図、図５は手袋の指出し用の開口部側から見た側面図、図６は手袋の掌部側の平面図、図７は手袋の縦断面側面図、図８は手袋が手に装着されて指が曲げられた側面図である。
【００１０】
手袋１は、手の甲部および掌部を覆う手袋基部１ａとこの手袋基部１ａの前端に複数の指（人差し指から小指）を一度に出せる指出し用の開口部１ｂと側部に親指挿通部１ｃと親指出し用の開口部１ｄとを設け、手袋基部１ａの後端側に手を挿入する手差し込み用の開口部１ｅを有し、手袋基部１ａの手首位置の内側にゴムバンド２が縫着されて絞り込まれている。
手袋基部１ａの指出し用の開口部１ｂは、甲部ａ側が掌部ｂ側より前方に突出形成されている。
親指挿通部１ｃは手袋基部１ａの側部に突出形成されている。
【００１１】
手袋１は、主に布、塩化ビニル、ウレタン、エチレン酢酸ビニル等の合成樹脂やゴムのシ−ト、皮革等の柔軟性や伸縮性を有する材料を図４のようにそれぞれ適当な形状に裁断し、複数のパ−ツを作り、その端部を縫着して形成されている。
図４で（ａ）は甲部前端側部材３で、（ｂ）は甲部後端側部材４で、（ｃ）は掌部側部材５で、（ｄ）は親指挿通部１ｃの甲部側部材６で、（ｅ）は親指挿通部１ｃの掌部側部材７である。
【００１２】
甲部前端側部材３の前端には指出し用の開口部１ｂに挿通される指の間（人差し指から小指のそれぞれの間）に該当する位置に３つの切込み３ａが形成され、この切込み３ａを開口部１ｂ内側側に突出するように重ねて摘み縫いで甲部ａの内側に向けて突部３ｂと縫い部３ｃを設けることで甲部前端側部材３の手袋基部１ａ前端に設けた指出し用の開口部１ｂの甲部ａ側は開口部１ｂの掌部ｂ側に向けて屈曲するように形成されている。
甲部前端側部材３と甲部後端側部材４は一体に形成してもよい。
掌部側部材５の前面には補強シ−ト８が固定されている。
【００１３】
前記のように、縫い部３ｃで甲部前端側部材３の手袋基部１ａ前端に設けた指出し用の開口部１ｂの甲部ａ側は開口部１ｂの掌部ｂ側に向けて屈曲するように形成されていると、図８のように手を握ったときでも指出し用の開口部１ｂの甲部ａ側は折り曲げられた指に沿って小指から人差し指の付け根を覆うため指出し用の開口部１ｂの甲部ａ側の隙間を小さくすることができ手の保温性を向上する。
さらに、手袋基部１ａの指出し用の開口部１ｂは、掌部ｂ側より甲部ａ側の方が前方に突出しているため手を握ったときに手の甲が大きく露出することがなく手の保温性を向上する。
また、手袋基部１ａ前端に設けた指出し用の開口部１ｂの甲部ａ側に摘み縫いで突部３ｂが形成されるが、この突部３ｂは指間に突出する各こぶしの間の隙間に入り、冷気が入りにくく手の保温性を向上することができる。
【００１４】
指出し用の開口部１ｂの甲部ａ側を開口部１ｂの掌部ｂ側に向けて屈曲させる手段として、摘み縫いで突部３ｂを形成したが、指出し用の開口部１ｂの甲部ａ側をプレスして、指出し用の開口部１ｂの甲部ａ側を開口部１ｂの掌部ｂ側に向けて屈曲するように癖付けしてもよい。
また、この時、同時に甲部ａ側の開口部１ｂ内側に指間に収まる突部を形成してもよい。
【００１５】
前記のように手袋１が構成されると、手を握ったときでも指出し用の開口部１ｂの甲部ａ側は折り曲げられた指に沿って小指から人差し指の付け根を覆うため指出し用の開口部１ｂの甲部ａ側に隙間ができることが防止される。
さらに、手袋基部１ａの指出し用の開口部１ｂは、掌部ｂ側より甲部ａ側の方が前方に突出しているため手を握ったときに手の甲が大きく露出することが防止され手の保温性が向上されている。
また、手袋基部１ａ前端に設けた指出し用の開口部１ｂの甲部ａ側に突部３ｂを形成すると、この突部３ｂは指間に突出する各こぶしの間の隙間に入り、冷気が入りにくくすることができる。
【産業上の利用可能性】
【００１６】
なお、上記では前端に人差し指から小指を一度に出せる指出し用の開口部を有する手袋で説明したが、上記指が一度に出せるものでなくても複数の指を一度に出せる開口を有する手袋であれば実施可能である。
【図面の簡単な説明】
【００１７】
【図１】手に装着された手袋の甲部側の平面図である。
【図２】手に装着された手袋の掌部側の平面図である。
【図３】手に装着された手袋の側面図である。
【図４】手袋の裁断素材の分解平面図である。
【図５】手袋の指出し用の開口部側から見た側面図である。
【図６】手袋の掌部側の平面図である。
【図７】手袋の縦断面側面図である。
【図８】手袋が手に装着されて指が曲げられた側面図である。
【符号の説明】
【００１８】
１  手袋
１ｂ  指出し用の開口部
ａ  甲部
ｂ  掌部
【図１】
2005042251.tif 000003
【図２】
2005042251.tif 000004
【図３】
2005042251.tif 000005
【図４】
2005042251.tif 000006
【図５】
2005042251.tif 000007
【図６】
2005042251.tif 000008
【図７】
2005042251.tif 000009
【図８】
2005042251.tif 000010